(57)【特許請求の範囲】
【請求項１】
非接触ＩＣカードとの間で通信を行うリーダ／ライタ部と、
非接触ＩＣを有し、その利用制限のためのロック及びその解除が可能な非接触ＩＣ機能部と、
情報を記憶する記憶部と、
前記非接触ＩＣのロックを行うときに、暗号化及び復号用の第１の鍵と、暗号化及び復号用の第２の鍵とを生成し、前記リーダ／ライタ部を介して前記非接触ＩＣカードから一意な情報を読み取り、読み取った一意な情報を前記第１の鍵を用いて暗号化し、暗号化された一意な情報を前記記憶部に記憶し、前記第１の鍵を前記第２の鍵を用いて暗号化し、暗号化された第１の鍵を前記リーダ／ライタ部を介して前記非接触ＩＣカードに書き込み、前記第２の鍵を前記記憶部に記憶し、
前記非接触ＩＣのロックを解除するときに、前記リーダ／ライタ部を介して前記非接触ＩＣカードから一意な情報と暗号化された第１の鍵とを読み取り、読み取った暗号化された第１の鍵を前記記憶部に記憶された第２の鍵を用いて復号し、復号された第１の鍵を用いて前記記憶部に記憶された暗号化された一意な情報を復号し、復号された一意な情報と、読み取った一意な情報とを比較し、両情報が一致した場合に前記非接触ＩＣのロックを解除する制御部と、
を有することを特徴とする携帯型電子機器。
【請求項２】
非接触ＩＣカードとの間で通信を行うリーダ／ライタ部と、
非接触ＩＣを有し、その利用制限のためのロック及びその解除が可能な非接触ＩＣ機能部と、
情報を記憶する記憶部と、
前記非接触ＩＣのロックを行うとき、暗号化及び復号用の第１の鍵と、暗号化及び復号用の第２の鍵とを生成し、前記リーダ／ライタ部を介して前記非接触ＩＣカードから一意な情報を読み取り、読み取った一意な情報を前記第１の鍵で暗号化し、暗号化された一意な情報を前記記憶部に記憶し、前記第１の鍵を前記第２の鍵を用いて暗号化し、暗号化された第１の鍵を前記記憶部に記憶し、前記第２の鍵を前記リーダ／ライタ部を介して前記非接触ＩＣカードに記憶し、
前記非接触ＩＣのロックを解除するときに、前記リーダ／ライタ部を介して前記非接触ＩＣカードから一意な情報と第２の鍵とを読み取り、読み取った第２の鍵を用いて前記記憶部に記憶された暗号化された第１の鍵を復号し、復号された第１の鍵を用いて前記記憶部に記憶された暗号化された一意な情報を復号し、復号された一意な情報と、読み取った一意な情報とを比較し、両情報が一致した場合に前記非接触ＩＣのロックを解除する制御部と、
を有することを特徴とする携帯型電子機器。
【請求項３】
前記制御部は、前記非接触ＩＣのロックを解除する前に、暗号化及び復号用の新第１の鍵を生成し、前記非接触ＩＣカードから読み取った一意な情報を前記新第１の鍵を用いて暗号化し、暗号化された一意な情報を前記記憶部に記憶し、暗号化及び復号用の新第２の鍵を生成し、前記新第１の鍵を前記新第２の鍵を用いて暗号化し、暗号化された新第１の鍵を前記リーダ／ライタ部を介して前記非接触ＩＣカードに書き込み、前記新第２の鍵を前記記憶部に記憶することを特徴とする請求項１に記載の携帯型電子機器。
【請求項４】
前記制御部は、前記非接触ＩＣのロックを解除する前に、暗号化及び復号用の新第１の鍵を生成し、前記非接触ＩＣカードから読み取った一意な情報を前記新第１の鍵で暗号化し、暗号化された一意な情報を前記記憶部に記憶し、暗号化及び復号用の新第２の鍵を生成し、前記新第１の鍵を前記新第２の鍵を用いて暗号化し、暗号化された新第１の鍵を前記記憶部に記憶し、前記新第２の鍵を前記リーダ／ライタ部を介して前記非接触ＩＣカードに記憶することを特徴とする請求項２に記載の携帯型電子機器。
【請求項５】
前記制御部は、前記非接触ＩＣのロック解除後、前記非接触ＩＣを使用した後に前記非接触ＩＣのロックを行うことを特徴とする請求項１から４のいずれか１項に記載の携帯型電子機器。
【請求項６】
前記制御部は、前記非接触ＩＣのロック解除後、一定時間経過後に前記非接触ＩＣのロックを行うことを特徴とする請求項１から４のいずれか１項に記載の携帯型電子機器。
【請求項７】
前記一意な情報は、前記非接触ＩＣカードのＩＤ番号、製造番号、及び前記非接触ＩＣカードの読み取り可能領域内で指定された任意のアドレスに記憶されている記憶情報の少なくとも１つを含むことを特徴とする請求項１から６のいずれか１項に記載の携帯型電子機器。
【請求項８】
非接触ＩＣカードとの間で通信を行うリーダ／ライタ部と、非接触ＩＣを有し、その利用制限のためのロック及びその解除が可能な非接触ＩＣ機能部と、情報を記憶する記憶部と、制御部とを有する携帯型電子機器の非接触ＩＣ用ロック解除方法であって、
前記制御部が、
前記非接触ＩＣのロックを行うときに、暗号化及び復号用の第１の鍵と、暗号化及び復号用の第２の鍵とを生成し、前記リーダ／ライタ部を介して前記非接触ＩＣカードから一意な情報を読み取り、読み取った一意な情報を前記第１の鍵を用いて暗号化し、暗号化された一意な情報を前記記憶部に記憶し、前記第１の鍵を前記第２の鍵を用いて暗号化し、暗号化された第１の鍵を前記リーダ／ライタ部を介して前記非接触ＩＣカードに書き込み、前記第２の鍵を前記記憶部に記憶し、
前記非接触ＩＣのロックを解除するときに、前記リーダ／ライタ部を介して前記非接触ＩＣカードから一意な情報と暗号化された第１の鍵とを読み取り、読み取った暗号化された第１の鍵を前記記憶部に記憶された第２の鍵を用いて復号し、復号された第１の鍵を用いて前記記憶部に記憶された暗号化された一意な情報を復号し、復号された一意な情報と、読み取った一意な情報とを比較し、両情報が一致した場合に前記非接触ＩＣのロックを解除することを特徴とする携帯型電子機器の非接触ＩＣ用ロック解除方法。
【請求項９】
非接触ＩＣカードとの間で通信を行うリーダ／ライタ部と、非接触ＩＣを有し、その利用制限のためのロック及びその解除が可能な非接触ＩＣ機能部と、情報を記憶する記憶部と、制御部とを有する携帯型電子機器の非接触ＩＣ用ロック解除方法であって、
前記制御部が、
前記非接触ＩＣのロックを行うときに、暗号化及び復号用の第１の鍵と、暗号化及び復号用の第２の鍵とを生成し、前記リーダ／ライタ部を介して前記非接触ＩＣカードから一意な情報を読み取り、読み取った一意な情報を前記第１の鍵で暗号化し、暗号化された一意な情報を前記記憶部に記憶し、前記第１の鍵を前記第２の鍵を用いて暗号化し、暗号化された第１の鍵を前記記憶部に記憶し、前記第２の鍵を前記リーダ／ライタ部を介して前記非接触ＩＣカードに記憶し、
前記非接触ＩＣのロックを解除するときに、前記リーダ／ライタ部を介して前記非接触ＩＣカードから一意な情報と第２の鍵とを読み取り、読み取った第２の鍵を用いて前記記憶部に記憶された暗号化された第１の鍵を復号し、復号された第１の鍵を用いて前記記憶部に記憶された暗号化された一意な情報を復号し、復号された一意な情報と、読み取った一意な情報とを比較し、両情報が一致した場合に前記非接触ＩＣのロックを解除することを特徴とする携帯型電子機器の非接触ＩＣ用ロック解除方法。
【請求項１０】
請求項１から７のいずれか１項に記載の携帯型電子機器と、
前記携帯型電子機器の非接触ＩＣとの間で通信を行う非接触ＩＣカードとを有することを特徴とする非接触ＩＣ用ロック解除システム。
【発明の詳細な説明】
【技術分野】
【０００１】
本発明は、非接触ＩＣを搭載した非接触ＩＣ搭載端末等の携帯型電子機器、その非接触ＩＣ用ロック解除方法、及び非接触ＩＣ用ロック解除システムに関する。
【背景技術】
【０００２】
非接触ＩＣ（Integrated Circuit：集積回路）は、ＩＣチップ内にメモリ、ＣＰＵ（Central Processing Unit）、高周波回路、電源回路を含み、アンテナを介して外部端子なしにリーダ／ライタとの間で通信を行い、ＩＣチップ内のメモリに情報を読み書き可能に保持し得る媒体であり、非常に素早く電子決済や、認証を行うことができるものである。しかし、盗難や紛失が発生した際、非接触ＩＣの内部の情報を不正に利用されてしまうリスクが存在する。
【０００３】
このような不正利用を防止するためには、非接触ＩＣを搭載している端末や非接触ＩＣ自身に利用制限（ロック）をかける必要がある。しかしながら、その操作は煩雑であり、非接触ＩＣの利便性を損なう可能性がある。
【０００４】
例えば、非接触ＩＣを搭載している携帯端末や非接触ＩＣ自身に利用制限をかけると、制限のかけ方によっては非接触ＩＣの利便性を損なう可能性があった。その一方、利便性を向上させるため制限レベルを低くすると、セキュリティレベルも低くなる可能性がある。また、比較的容易に行えるＰＩＮ（Personal Identification Number）入力では、入力桁数が少ないことや、類推できるパスワードになりがちな問題もあった。
【０００５】
上記に関連して、次のような先行技術文献がある。
【０００６】
特許文献１には、非接触ＩＣカードを使用して携帯型電子機器のロックを解除する方法が記載されている。この方法では、非接触ＩＣカードのＩＤ番号をリーダ／ライタを介して受け取って記憶部に記憶し、キー操作等のロック解除時に、非接触ＩＣカードのＩＤ番号をリーダ／ライタを介して受け取り、記憶部に記憶されたＩＤ番号と照合して認証を行う。
【０００７】
特許文献２には、携帯電話端末の紛失時等に、非接触ＩＣカードの情報を使用して、ネットワークを通じて携帯電話端末の遠隔ロックを行うシステムが記載されている。このシステムは、非接触ＩＣカードの情報をリーダに読み取らせてサーバに送信し、そのサーバがロックを行う。
【０００８】
特許文献３には、使用者が特定の操作ボタンを押すことにより、非接触ＩＣカードのロックを解除する携帯通信端末が記載されている。
【０００９】
特許文献４には、端末操作が行われずに予め登録された一定時間が経過した後に端末操作を不可とする携帯端末のロック方法が記載されている。
【００１０】
特許文献５には、基地局の通信圏内では携帯端末のロックを常に解除し、通信圏外では携帯端末に認証処理を行わせないと外部のリーダライタから端末内蔵の非接触ＩＣへの通信を不可とする移動体端末が記載されている。
【先行技術文献】
【特許文献】
【００１１】
【特許文献１】特開２００６−１１３７１９号公報
【特許文献２】特開２００６−２７９５７２号公報
【特許文献３】特開２００６−３３８４８０号公報
【特許文献４】特開２００９−０４９８２４号公報
【特許文献５】特開２００７−０６８０１６号公報
【発明の概要】
【発明が解決しようとする課題】
【００１２】
上述した先行技術文献では、次のような問題があった。
【００１３】
特許文献１では、携帯型電子機器と非接触ＩＣカードとのどちらかが第三者の手に渡った場合、認証に用いる非接触ＩＣカードのＩＤ番号は解析しやすく、高いセキュリティ性を確保するのが困難である。
【００１４】
特許文献２では、携帯電話端末が常時使用できる状態にあり、利便性は損なわれないが、紛失時にサーバにロックの申請を出すまでのタイムラグがあり、その間はセキュリティが守られない。
【００１５】
特許文献３では、スキミングなどの情報盗難に対するものであり、端末の紛失及び盗難の際に、セキュリティ性を確保することはできない。
【００１６】
特許文献４は、盗難及び紛失時のデータ漏洩や不正操作のリスクを削減するために、時間ごとに携帯電話自体にロックをかけるものであり、利便性が損なわれる可能性がある。
【００１７】
特許文献５は、電波状態によって認証処理の有無を切り替えるものであり、通信圏内で端末の紛失又は盗難があった場合に、セキュリティ性を確保することはできない。
【００１８】
本発明の目的は、上記課題を解決し、外部の非接触ＩＣカードを用いて非接触ＩＣ機能のロックを解除する携帯型電子機器において、高いセキュリティ性を確保する携帯型電子機器、その非接触ＩＣ用ロック解除方法、及び非接触ＩＣ用ロック解除システムを提供することにある。
【課題を解決するための手段】
【００１９】
本発明の第１の観点によれば、非接触ＩＣカードとの間で通信を行うリーダ／ライタ部と、非接触ＩＣを有し、その利用制限のためのロック及びその解除が可能な非接触ＩＣ機能部と、情報を記憶する記憶部と、前記非接触ＩＣのロックを行うときに、暗号化及び復号用の第１の鍵と、暗号化及び復号用の第２の鍵とを生成し、前記リーダ／ライタ部を介して前記非接触ＩＣカードから一意な情報を読み取り、読み取った一意な情報を前記第１の鍵を用いて暗号化し、暗号化された一意な情報を前記記憶部に記憶し、前記第１の鍵を前記第２の鍵を用いて暗号化し、暗号化された第１の鍵を前記リーダ／ライタ部を介して前記非接触ＩＣカードに書き込み、前記第２の鍵を前記記憶部に記憶し、前記非接触ＩＣのロックを解除するときに、前記リーダ／ライタ部を介して前記非接触ＩＣカードから一意な情報と暗号化された第１の鍵とを読み取り、読み取った暗号化された第１の鍵を前記記憶部に記憶された第２の鍵を用いて復号し、復号された第１の鍵を用いて前記記憶部に記憶された暗号化された一意な情報を復号し、復号された一意な情報と、読み取った一意な情報とを比較し、両情報が一致した場合に前記非接触ＩＣのロックを解除することを特徴とする携帯型電子機器が提供される。
【００２０】
本発明の第２の観点によれば、非接触ＩＣカードとの間で通信を行うリーダ／ライタ部と、非接触ＩＣを有し、その利用制限のためのロック及びその解除が可能な非接触ＩＣ機能部と、情報を記憶する記憶部と、制御部とを有する携帯型電子機器の非接触ＩＣ用ロック解除方法であって、前記制御部が、前記非接触ＩＣのロックを行うときに、暗号化及び復号用の第１の鍵と、暗号化及び復号用の第２の鍵とを生成し、前記リーダ／ライタ部を介して前記非接触ＩＣカードから一意な情報を読み取り、読み取った一意な情報を前記第１の鍵を用いて暗号化し、暗号化された一意な情報を前記記憶部に記憶し、前記第１の鍵を前記第２の鍵を用いて暗号化し、暗号化された第１の鍵を前記リーダ／ライタ部を介して前記非接触ＩＣカードに書き込み、前記第２の鍵を前記記憶部に記憶し、前記非接触ＩＣのロックを解除するときに、前記リーダ／ライタ部を介して前記非接触ＩＣカードから一意な情報と暗号化された第１の鍵とを読み取り、読み取った暗号化された第１の鍵を前記記憶部に記憶された第２の鍵を用いて復号し、復号された第１の鍵を用いて前記記憶部に記憶された暗号化された一意な情報を復号し、復号された一意な情報と、読み取った一意な情報とを比較し、両情報が一致した場合に前記非接触ＩＣのロックを解除することを特徴とする携帯型電子機器の非接触ＩＣ用ロック解除方法が提供される。
【００２１】
本発明の第１の観点によれば、上記に記載の携帯型電子機器と、前記携帯型電子機器の非接触ＩＣとの間で通信を行う非接触ＩＣカードとを有することを特徴とする非接触ＩＣ用ロック解除システムが提供される。
【発明の効果】
【００２２】
本発明によれば、外部の非接触ＩＣカードを用いて非接触ＩＣ機能のロックを解除する携帯型電子機器において、高いセキュリティ性を確保することができる。
【図面の簡単な説明】
【００２３】
【図１】本発明の第１〜第４の実施の形態に係る非接触ＩＣ用ロック解除システムの構成を示す概略ブロック図である。
【図２】本発明の第１及び第２の実施の形態に係る非接触ＩＣ用ロック解除システムにおいて、携帯型電子機器の非接触ＩＣ機能に対しロックを行う場合の処理を示すフローチャートである。
【図３】本発明の第１の実施の形態に係る非接触ＩＣ用ロック解除システムにおいて、携帯型電子機器の非接触ＩＣ機能に対しロックを解除する場合の処理を示すフローチャートである。
【図４】本発明の第２の実施の形態に係る非接触ＩＣ用ロック解除システムにおいて、携帯型電子機器の非接触ＩＣ機能に対しロックを解除する場合の処理を示すフローチャートである。
【図５】本発明の第３及び第４の実施の形態に係る非接触ＩＣ用ロック解除システムにおいて、携帯型電子機器の非接触ＩＣ機能に対しロックを行う場合の処理を示すフローチャートである。
【図６】本発明の第３の実施の形態に係る非接触ＩＣ用ロック解除システムにおいて、携帯型電子機器の非接触ＩＣ機能に対しロックを解除する場合の処理を示すフローチャートである。
【図７】本発明の第４の実施の形態に係る非接触ＩＣ用ロック解除システムにおいて、携帯型電子機器の非接触ＩＣ機能に対しロックを解除する場合の処理を示すフローチャートである。
【図８】本発明の第５及び第６の実施の形態に係る非接触ＩＣ用ロック解除システムの構成を示す概略ブロック図である。
【発明を実施するための形態】
【００２４】
以下、本発明に係る携帯型電子機器、その非接触ＩＣ用ロック解除方法、及び非接触ＩＣ用ロック解除システムの実施の形態について、図面を参照して詳細に説明する。
【００２５】
（第１の実施の形態）
図１は、本発明の第１の実施の形態に係る非接触ＩＣ用ロック解除システムの構成を示す。本実施の形態に係る非接触ＩＣ用ロック解除システムは、非接触ＩＣを搭載した携帯型電子機器１０と、この携帯型電子機器１０の非接触ＩＣのロックを解除する際に使用する非接触ＩＣカード２０とを含む。
【００２６】
携帯型電子機器１０は、例えば非接触ＩＣを搭載した携帯電話機、ＰＤＡ（Personal Digital Assistant：携帯情報端末）、スマートフォン等の携帯端末等の携帯型電子機器に適用される。この携帯型電子機器１０は、制御部１１、記憶部１２、各種操作キー等の入力部１３、液晶ディスプレイ等の表示部１４、非接触ＩＣ用のリーダ／ライタ部１５、及び非接触ＩＣを含む非接触ＩＣ機能部１６を含む（その他、携帯端末に適用した場合は、基地局との間で無線通信を行う通信部等も含まれる）。
【００２７】
制御部１１は、プログラム制御で動作するコンピュータとしてのＣＰＵ及びその制御プログラムを含み、ＣＰＵが制御プログラムを実行することにより、各機能が実現される。各機能には、本実施の形態では、データを暗号化し、暗号化したデータを復号するために使用する暗号化及び復号用鍵（以下、「鍵」と呼ぶ。）を生成する機能と、鍵を用いてデータを暗号化する機能と、鍵を用いて暗号化データを復号する機能と、非接触ＩＣ機能の利用制限のためのロック及びその解除を制御する機能とが含まれる。ここで、暗号化と復号には、同一の鍵が使用される。また、鍵生成、暗号化及び復号で用いるアルゴリズムに対応するプログラムは、既存のものが使用される。
【００２８】
記憶部１２は、メモリ等で構成され、制御部１１の制御プログラムや制御データ等を記憶する。本実施の形態では、記憶部１２は、制御部１１で生成された鍵や、暗号化された鍵及び暗号化された非接触ＩＣカード２０のＩＤ番号等の一意（ユニーク）な情報等も記憶する。
【００２９】
リーダ／ライタ部１５は、アンテナ、高周波回路等の無線通信装置を含み、非接触ＩＣカード２０との間で通信を行う。このリーダ／ライタ部１５には、非接触ＩＣカード２０の情報を読み取るリーダ１５１と、非接触ＩＣカード２０に情報を書き込むライタ１５２とが含まれる。
【００３０】
非接触ＩＣ機能部１６は、非接触ＩＣを含む。この非接触ＩＣは、アンテナ及びＩＣチップ（高周波回路、メモリ、ＣＰＵ、電源回路等を含む）を含み、決済端末等の非接触ＩＣサービス提供端末（後述の第５、第６の実施の形態参照）のリーダ／ライタ部との間で通信を行うことにより、決済等のサービス提供を受けることが可能となっている。この非接触ＩＣ機能は、制御部１１によるロック及びその解除に関する制御（後述参照）により、通常はロックがされていて使用不可とされ、ロック解除時のみ使用可能とされる。
【００３１】
非接触ＩＣ機能のロック及びその解除方法は、既知のものが使用可能であり、本実施の形態では特に限定されないが、例えば、第５の実施の形態（後述参照）のように、非接触ＩＣの所定記憶領域内に使用許可／不許可のステータス（使用ステータス）を書き込み、このステータスに基づいて非接触ＩＣ機能のロック及びその解除を行うものを使用してもよい。
【００３２】
非接触ＩＣカード２０は、カード本体内にアンテナ及びＩＣチップ（高周波回路、電源回路、メモリ、ＣＰＵ、電源回路等を含む）を含み、本実施の形態では、携帯型電子機器１０の非接触ＩＣ機能のロックを解除する際に使用する。
【００３３】
次に、本実施の形態の動作について、図２と図３を参照して説明する。
【００３４】
図２は、携帯型電子機器１０の非接触ＩＣ機能をロックする際の処理を示す。
【００３５】
まず、携帯型電子機器１０は、リーダ／ライタ部１５により、非接触ＩＣカード２０に対し、ＩＤ送信要求を送信する（ステップＳ１）。
【００３６】
非接触ＩＣカード２０は、ＩＤ送信要求を受信すると（ステップＳ２）、ＩＤ番号（一意な情報）を携帯型電子機器１０に送信する（ステップＳ３）。
【００３７】
携帯型電子機器１０は、リーダ／ライタ部１５により、ＩＤ番号を受信すると（ステップＳ４）、制御部１１によりＩＤ番号を第１の鍵で暗号化し（ステップＳ５）、暗号化されたＩＤ番号を記憶部１２に記憶する（ステップＳ６）。また、携帯型電子機器１０は、制御部１１により、第２の鍵を用いて、第１の鍵を暗号化し（ステップＳ７）、リーダ／ライタ部１５により、暗号化された第１の鍵を非接触ＩＣカード２０に送信する（ステップＳ８）。
【００３８】
非接触ＩＣカード２０は、暗号化された第１の鍵を受信すると、ロック解除用データとして記憶し（ステップＳ９）、その記憶完了を携帯型電子機器１０に返信する（ステップＳ１０）。
【００３９】
携帯型電子機器１０は、リーダ／ライタ部１５により、上記の記憶完了を受信すると（ステップＳ１１）、制御部１１により、暗号化された第１の鍵を消去し（ステップＳ１２）、第１の鍵を消去し（ステップＳ１３）、第２の鍵を記憶部１２に記憶し（ステップＳ１４）、非接触ＩＣ機能をロックする（ステップＳ１５）。
【００４０】
なお、第１の鍵と第２の鍵は、処理で必要となるまでに生成すればよい。
【００４１】
また、ステップＳ３の処理では、非接触ＩＣカード２０から携帯型電子機器１０にＩＤ番号を送信しているが、送信するデータは、一意で変更されることのない特定のデータ（データＡ：例えば製造番号）であれば、ＩＤ番号でなくともよい。また、携帯型電子機器１０から、非接触ＩＣカード２０の読み込み可能な領域で、データが変更されることがないひとつのアドレスを任意に選択して指定し、このデータ（データＢ）を非接触ＩＣ機能のロックの解除に使用するようにしてもよい。さらに、ＩＤ番号とデータＡ、ＩＤ番号とデータＢ、及び、データＡとデータＢのいずれかの組み合わせを非接触ＩＣ機能部１６のロックの解除に使用するようにしてもよい。
【００４２】
また、ステップＳ６の処理（暗号化されたＩＤ番号を記憶）は、同処理以降でステップＳ１５の処理が終了する前であれば、どこで行ってもよい。
【００４３】
さらに、ステップＳ１２の処理（暗号化された第１の鍵を消去）からステップＳ１５の処理（非接触ＩＣ機能をロック）までは、順番を変更して処理してもよい。
【００４４】
図３は、携帯型電子機器１０の非接触ＩＣ機能のロックを解除する際の処理を示す。
【００４５】
まず、携帯型電子機器１０は、リーダ／ライタ部１５により、非接触ＩＣカード２０に対し、ＩＤ番号と、暗号化された第１の鍵（ロック解除用データ）との送信要求を送信する（ステップＳ１６）。
【００４６】
非接触ＩＣカード２０は、送信要求を受信すると（ステップＳ１７）、ＩＤ番号と暗号化された第１の鍵とを携帯型電子機器１０に送信する（ステップＳ１８）。
【００４７】
携帯型電子機器１０は、リーダ／ライタ部１５により、ＩＤ番号と暗号化された第１の鍵とを受信すると（ステップＳ１９）、制御部１１により、第２の鍵で、暗号化された第１の鍵を復号し（ステップＳ２０）、第１の鍵を用いて、暗号化されたＩＤ番号を復号し（ステップＳ２１）、受信したＩＤ番号と復号したＩＤ番号とを比較する（ステップＳ２２）。
【００４８】
また、携帯型電子機器１０は、制御部１１により、受信したＩＤ番号と復号された第１の鍵とを消去する（ステップＳ２３）。
【００４９】
携帯型電子機器１０は、制御部１１により、受信したＩＤ番号と復号したＩＤ番号とが一致したら、非接触ＩＣ機能のロックを解除し（ステップＳ２４）、非接触ＩＣ機能を使用後にロックする（ステップＳ２５）。
【００５０】
一方、携帯型電子機器１０は、制御部１１により、受信したＩＤ番号と復号化したＩＤ番号とが一致しない場合は、その旨を出力（表示部１４に表示、音声入出力部１７により音声で出力等）し、非接触ＩＣ機能のロックを解除することなく処理を終了する。
【００５１】
なお、ステップＳ１８の処理では、非接触ＩＣカード２０は、ＩＤ番号と暗号化された第１の鍵（ロック解除用データ）を送信しているが、そのロック解除用データは非接触ＩＣカード２０内に記憶したままである。
【００５２】
また、ステップＳ２５の処理では、非接触ＩＣ機能を使用後にロックしているが、これに替えて、ロック解除後、一定時間経過したらロックするようにしてもよい。また、「非接触ＩＣ機能を使用後にロック」と「ロック解除後、一定時間経過したらロック」のいずれかの条件で、先に成立した条件でロックするようにしてもよい。
【００５３】
また、ステップＳ２３の処理（受信したＩＤ番号と復号された第１の鍵の消去）は、非接触ＩＣ機能部１６のロックの処理が終了するまでに行えばよい。
【００５４】
従って、本実施の形態によれば、非接触ＩＣカード２０を用いて、携帯型電子機器１０のリーダ／ライタ部１５から非接触ＩＣカード２０の情報を読み込むだけで、非接触ＩＣ機能のロック解除を行うことができるため、素早いロック解除が期待できる。
【００５５】
また、非接触ＩＣカード２０のユニークな情報を使用するため、仮にロック解除情報の内容が発覚することがあっても、簡単にロックを解除することはできない。また、ＰＩＮ入力などに比べ、ロック解除の情報が類推されにくく、またロック解除の情報を覚えておく必要がない。
【００５６】
また、携帯型電子機器１０の非接触ＩＣ機能のロックのみを対象とするため、リーダ／ライタを搭載している携帯型電子機器１０の利便性を損なうことがない。
【００５７】
また、ロック解除用データ及び第１の鍵を第２の鍵で暗号化し、第２の鍵とこの第２の鍵で暗号化した第１の鍵とを携帯型電子機器と非接触ＩＣカードとでそれぞれ分散して持つことにより、携帯型電子機器と非接触ＩＣカードとのどちらかが第三者の手に渡っただけでは解析をすることが困難である。
【００５８】
さらに、本実施の形態では、常時ロックをかけることで非接触ＩＣのセキュリティ性を保持しながらも、解除はセキュア且つ、素早く、利便性が損なわれることはない。
【００５９】
以上のように、本実施の形態によれば、外部の非接触ＩＣカード２０を用いて非接触ＩＣ機能のロックを解除する携帯型電子機器１０において、高いセキュリティ性を確保することができる。
【００６０】
（第２の実施の形態）
次に、本発明の第２の実施の形態について、図４を参照して説明する。第１の実施の形態と同様の構成要素については、同一符号を付してその説明を省略する。
【００６１】
本実施の形態に係る携帯型電子機器１０の構成は、図１に示すものと同一であり、非接触ＩＣ機能をロックする際の処理は、図２に示すものと同一である。
【００６２】
図４は、携帯型電子機器１０の非接触ＩＣ機能のロックを解除する際の処理を示す。図３に示すものと比べると、再度ロックする際、新たに第１の鍵と第２の鍵を生成する点が異なる。
【００６３】
図４において、携帯型電子機器１０は、リーダ／ライタ部１５により、非接触ＩＣカード２０に対し、ＩＤ番号と、暗号化された第１の鍵（ロック解除用データ）との送信要求を送信する（ステップＳ２６）。
【００６４】
非接触ＩＣカード２０は、送信要求を受信すると（ステップＳ２７）、ＩＤ番号と、暗号化された第１の鍵とを携帯型電子機器１０に送信する（ステップＳ２８）。
【００６５】
携帯型電子機器１０は、リーダ／ライタ部１５により、ＩＤ番号と暗号化された第１の鍵とを受信すると（ステップＳ２９）、制御部１１により、第２の鍵を用いて、暗号化された第１の鍵を復号し（ステップＳ３０）、第１の鍵を用いて、暗号化されたＩＤ番号を復号し（ステップＳ３１）、受信したＩＤ番号と復号化したＩＤ番号とを比較する（ステップＳ３２）。
【００６６】
また、携帯型電子機器１０は、制御部１１により、ＩＤ番号を新第１の鍵で暗号化し（ステップＳ３３）、暗号化されたＩＤ番号を記憶し（ステップＳ３４）、新第２の鍵を用いて、新第１の鍵を暗号化し（ステップＳ３５）、暗号化された新第１の鍵を非接触ＩＣカード２０に送信する（ステップＳ３６）。
【００６７】
非接触ＩＣカード２０は、暗号化された新第１の鍵を受信すると、次のロック解除用データとして記憶し（ステップＳ３７）、その記憶完了を携帯型電子機器１０に返信する（ステップＳ３８）。
【００６８】
携帯型電子機器１０は、リーダ／ライタ部１５により、上記の記憶完了を受信すると（ステップＳ３９）、制御部１１により、暗号化された新第１の鍵を消去し（ステップＳ４０）、新第１の鍵を消去し（ステップＳ４１）、新第２の鍵を記憶部１２に記憶する（ステップＳ４２）。
【００６９】
そして、携帯型電子機器１０は、制御部１１により、受信したＩＤ番号と復号したＩＤ番号とが一致したら、非接触ＩＣ機能のロックを解除し（ステップＳ４３）、非接触ＩＣ機能を使用後にロックする（ステップＳ４４）。
【００７０】
一方、携帯型電子機器１０は、制御部１１により、受信したＩＤ番号と復号化したＩＤ番号とが一致しない場合は、その旨を出力（表示部１４に表示、音声入出力部１７により音声で出力等）し、非接触ＩＣ機能のロックを解除することなく処理を終了する。
【００７１】
なお、新第１の鍵と新第２の鍵は、処理で必要となるまでに生成すればよい。
【００７２】
また、復号化したＩＤ番号、旧第１の鍵、旧第２の鍵、及び旧ロック解除用データは、非接触ＩＣ機能のロックの処理が終了するまでに消去する。
【００７３】
また、ステップＳ４４の処理では、非接触ＩＣ機能を使用後にロックしているが、これに替えて、ロック解除後、一定時間経過したらロックするようにしてもよい。また、「非接触ＩＣ機能を使用後にロック」と「ロック解除後、一定時間経過したらロック」のいずれかの条件で、先に成立した条件でロックするようにしてもよい。
【００７４】
従って、本実施の形態によれば、第１の実施の形態と同様の効果に加え、ロック解除の前に、新第１の鍵と新第２の鍵とを生成し、次のロックの準備をすることにより、より一層高いセキュリティ性を確保することができる。
【００７５】
（第３の実施の形態）
次に、本発明の第３の実施の形態について、図５と図６を参照して説明する。第１の実施の形態と同様の構成要素については、同一符号を付してその説明を省略する。
【００７６】
本実施の形態に係る携帯型電子機器１０の構成は、図１に示すものと同一である。
【００７７】
図５は、携帯型電子機器１０の非接触ＩＣ機能をロックする際の処理を示す。第１の実施の形態とは、携帯型電子機器１０で、第１の鍵で暗号化されたＩＤ番号を記憶し、非接触ＩＣカード２０で、第２の鍵を記憶する点が異なる。
【００７８】
図５において、携帯型電子機器１０は、リーダ／ライタ部１５により、非接触ＩＣカード２０に対し、ＩＤ送信要求を送信する（ステップＳ４５）。
【００７９】
非接触ＩＣカード２０は、ＩＤ送信要求を受信すると（ステップＳ４６）、ＩＤ番号（一意な情報）を携帯型電子機器１０に送信する（ステップＳ４７）。
【００８０】
携帯型電子機器１０は、リーダ／ライタ部１５により、非接触ＩＣカード２０のＩＤ番号を受信すると（ステップＳ４８）、制御部１１により、そのＩＤ番号を第１の鍵で暗号化し（ステップＳ４９）、暗号化されたＩＤ番号を記憶部１２に記憶し（ステップＳ５０）、第２の鍵を用いて、第１の鍵を暗号化し（ステップＳ５１）、第２の鍵を非接触ＩＣカード２０に送信する（ステップＳ５２）。
【００８１】
非接触ＩＣカード２０は、第２の鍵を受信すると、ロック解除用データとして記憶し（ステップＳ５３）、その記憶完了を携帯型電子機器１０に返信する（ステップＳ５４）。
【００８２】
携帯型電子機器１０は、リーダ／ライタ部１５により、上記の記憶完了を受信すると（ステップＳ５５）、制御部１１により、第１の鍵と第２の鍵を消去し（ステップＳ５６）、暗号化された第１の鍵を記憶し（ステップＳ５７）、非接触ＩＣ機能をロックする（ステップＳ５８）。
【００８３】
なお、第１の鍵と第２の鍵は、処理で必要となるまでに生成すればよい。
【００８４】
また、ステップＳ４７の処理では、非接触ＩＣカード２０から携帯型電子機器１０にＩＤ番号を送信しているが、送信するデータは、一意で変更されることのない特定のデータ（データＡ：例えば製造番号）であれば、ＩＤ番号でなくともよい。また、携帯型電子機器１０から、非接触ＩＣカード２０の読み込み可能な領域で、データが変更されることがないひとつのアドレスを任意に選択して指定し、このデータ（データＢ）を非接触ＩＣ機能のロックの解除に使用するようにしてもよい。さらに、ＩＤ番号とデータＡ、ＩＤ番号とデータＢ、及び、データＡとデータＢのいずれかの組み合わせを非接触ＩＣ機能部１６のロックの解除に使用するようにしてもよい。
【００８５】
また、ステップＳ５０の処理（暗号化されたＩＤ番号を記憶）は、同処理以降でステップＳ５８の処理が終了する前であれば、どこで行ってもよい。
【００８６】
さらに、ステップＳ５６の処理（第１の鍵と第２の鍵を消去）からステップＳ５８の処理（非接触ＩＣ機能をロック）までは、順番を変更して処理してもよい。
【００８７】
図６は、携帯型電子機器１０の非接触ＩＣ機能のロックを解除する際の処理を示す。
【００８８】
まず、携帯型電子機器１０は、リーダ／ライタ部１５により、非接触ＩＣカード２０に対し、ＩＤ番号と第２の鍵（ロック解除用データ）との送信要求を送信する（ステップＳ５９）。
【００８９】
非接触ＩＣカード２０は、送信要求を受信すると（ステップＳ６０）、ＩＤ番号と第２の鍵とを携帯型電子機器１０に送信する（ステップＳ６１）。
【００９０】
携帯型電子機器１０は、リーダ／ライタ部１５により、ＩＤ番号と第２の鍵とを受信すると（ステップＳ６２）、制御部１１により、第２の鍵を用いて、暗号化された第１の鍵を復号し（ステップＳ６３）、第１の鍵を用いて、暗号化されたＩＤ番号を復号し（ステップＳ６４）、受信したＩＤ番号と復号したＩＤ番号とを比較する（ステップＳ６５）。
【００９１】
また、携帯型電子機器１０は、制御部１１により、受信したＩＤ番号と復号した第１の鍵とを消去する（ステップＳ６６）。
【００９２】
携帯型電子機器１０は、制御部１１により、受信したＩＤ番号と復号したＩＤ番号とが一致したら、非接触ＩＣ機能のロックを解除し（ステップＳ６７）、非接触ＩＣ機能を使用後にロックする（ステップＳ６８）。
【００９３】
一方、携帯型電子機器１０は、制御部１１により、受信したＩＤ番号と復号化したＩＤ番号とが一致しない場合は、その旨を出力（表示部１４に表示、音声入出力部１７により音声で出力等）し、非接触ＩＣ機能のロックを解除することなく処理を終了する。
【００９４】
なお、ステップＳ５９の処理では非接触ＩＣカード２０は、ＩＤ番号と第２の鍵を送信するが、第２の鍵は、非接触ＩＣカード２０内に記憶したままである。
【００９５】
また、ステップＳ６８の処理では、非接触ＩＣ機能を使用後にロックしているが、これに替えて、ロック解除後、一定時間経過したらロックするようにしてもよい。また、「非接触ＩＣ機能を使用後にロック」と「ロック解除後、一定時間経過したらロック」のいずれかの条件で、先に成立した条件でロックするようにしてもよい。
【００９６】
さらに、ステップＳ６６の処理（受信したＩＤ番号と復号された第１の鍵の消去）は、非接触ＩＣ機能のロックの処理が終了するまでに行えばよい。
【００９７】
従って、本実施の形態でも、第１の実施の形態と同様に、外部の非接触ＩＣカード２０を用いて非接触ＩＣ機能のロックを解除する携帯型電子機器１０において、高いセキュリティ性を確保することができる。
【００９８】
（第４の実施の形態）
次に、本発明の第４の実施の形態について、図７を参照して説明する。
【００９９】
本実施の形態に係る携帯型電子機器１０の構成は、図１に示すものと同一であり、非接触ＩＣ機能部１６をロックする際の処理は、図５に示すものと同一である。
【０１００】
図７は、携帯型電子機器１０の非接触ＩＣ機能のロックを解除する際の処理を示す。第３の実施の形態とは、再度ロックする際、新たに第１の鍵と第２の鍵を生成する点が異なる。
【０１０１】
まず、携帯型電子機器１０は、リーダ／ライタ部１５により、非接触ＩＣカード２０に対し、ＩＤ番号と第２の鍵（ロック解除用データ）との送信要求を送信する（ステップＳ６９）。
【０１０２】
非接触ＩＣカード２０は、送信要求を受信すると（ステップＳ７０）、ＩＤ番号と第２の鍵とを携帯型電子機器１０に送信する（ステップＳ７１）。
【０１０３】
携帯型電子機器１０は、リーダ／ライタ部１５により、ＩＤ番号と第２の鍵とを受信すると（ステップＳ７２）、制御部１１により、第２の鍵を用いて、暗号化された第１の鍵を復号し（ステップＳ７３）、第１の鍵を用いて、暗号化されたＩＤ番号を復号し（ステップＳ７４）、受信したＩＤ番号と、復号したＩＤ番号とを比較する（ステップＳ７５）。
【０１０４】
また、携帯型電子機器１０は、制御部１１により、ＩＤ番号を、新第１の鍵を用いて暗号化し（ステップＳ７６）、暗号化されたＩＤ番号を記憶部１２に記憶し（ステップＳ７７）、新第２の鍵で、新第１の鍵を暗号化し（ステップＳ７８）、リーダ／ライタ部１５により、新第２の鍵を非接触ＩＣカード２０に送信する（ステップＳ７９）。
【０１０５】
非接触ＩＣカード２０は、新第２の鍵を受信して、次のロック解除用データとして記憶し（ステップＳ８０）、その記憶完了を携帯型電子機器１０に返信する（ステップＳ８１）。
【０１０６】
携帯型電子機器１０は、リーダ／ライタ部１５により、上記の記憶完了を受信し（ステップＳ８２）、制御部１１により、暗号化された新第１の鍵を記憶部１２に記憶し（ステップＳ８３）、新第１の鍵と新第２の鍵とを消去する（ステップＳ８４）。
【０１０７】
そして、携帯型電子機器１０は、制御部１１により、受信したＩＤ番号と復号したＩＤ番号とが一致したら、非接触ＩＣ機能のロックを解除し（ステップＳ８５）、非接触ＩＣ機能を使用後にロックする（ステップＳ８６）。
【０１０８】
一方、携帯型電子機器１０は、制御部１１により、受信したＩＤ番号と復号化したＩＤ番号とが一致しない場合は、その旨を出力（表示部１４に表示、音声入出力部１７により音声で出力等）し、非接触ＩＣ機能のロックを解除することなく処理を終了する。
【０１０９】
なお、新第１の鍵と新第２の鍵は、処理で必要となるまでに生成すればよい。
【０１１０】
また、復号化したＩＤ番号、復号化した旧第１の鍵、受信した旧第２の鍵、及び非接触ＩＣカード２０の旧第２の鍵は、非接触ＩＣ機能のロックの処理が終了するまでに消去する。
【０１１１】
さらに、ステップＳ８６では、非接触ＩＣ機能を使用後にロックしているが、これに替えて、ロック解除後、一定時間経過したらロックするようにしてもよい。また、「非接触ＩＣ機能を使用後にロック」と「ロック解除後、一定時間経過したらロック」のいずれかの条件で、先に成立した条件でロックするようにしてもよい。
【０１１２】
従って、本実施の形態によれば、第３の実施の形態と同様の効果に加え、ロック解除の前に、新第１の鍵と新第２の鍵とを生成し、次のロックの準備をすることにより、より一層高いセキュリティ性を確保することができる。
【０１１３】
（第５の実施の形態）
次に、本発明の第５の実施の形態について、図８を参照して説明する。本実施の形態は、第１の実施の形態（図１〜図３）を適用し、ロック解除用データとして、非接触ＩＣカードの読み込み可能領域から任意に指定されたアドレスに記憶されている情報を加えて実施したものである。
【０１１４】
図８は、本実施の形態に係る非接触ＩＣ用ロック解除システムの構成を示す。図８に示す非接触ＩＣ用ロック解除システムは、非接触ＩＣ及び非接触ＩＣ用のリーダ／ライタを搭載した携帯型電子機器（非接触ＩＣリーダ／ライタ搭載携帯端末）１０と、非接触ＩＣカード２０とを含む。本実施の形態では、携帯型電子機器１０の非接触ＩＣとの間で通信を行うことで決済等のサービスを提供する非接触ＩＣサービス提供端末３０も含まれる。非接触ＩＣサービス提供端末３０は、非接触ＩＣ用のリーダ／ライタ部３１（リーダ３１１及びライタ３１２）を含む。
【０１１５】
携帯型電子機器１０及び非接触ＩＣカード２０は、第１〜第４の実施の形態と同じものである（図８の例では、携帯型電子機器１０は、便宜上、非接触ＩＣ用のリーダ１５１及びライタ１５２を含むリーダ／ライタ部１５と、非接触ＩＣ１６１を含む非接触ＩＣ機能部１６とのみ図示し、その他の各部（制御部、記憶部、表示部、音声入出力部等）は省略している。）。
【０１１６】
ここで、携帯型電子機器１０の非接触ＩＣにロック（制限）をかけるため、ロック解除（制限解除）の設定を行う。その設定方法は、次のとおりである。
【０１１７】
（ステップＡ１）携帯型電子機器１０は、非接触ＩＣカード２０のユニークな情報（製造番号など）をリーダ／ライタ部１５のリーダ１５１を使用して読み込む。
【０１１８】
（ステップＡ２）このとき、リーダ／ライタ部１５のリーダ１５１により、非接触ＩＣカード２０の読み込み可能領域から、ランダム（任意）にアドレスを指定し、指定したアドレスに記憶されている情報（以下、「カード記憶情報」と呼ぶ。）を読み込む。また、指定したアドレス情報も、携帯型電子機器１０の記憶部に保存する。
【０１１９】
（ステップＡ３）携帯型電子機器１０は、制御部により、第１の鍵を生成し、生成した第１の鍵を用いて、読み込んだ非接触ＩＣカード２０のユニークな情報と、カード記憶情報とを暗号化して、記憶部に保存する。
【０１２０】
（ステップＡ４）携帯型電子機器１０は、制御部により、第２の鍵を生成し、生成した第２の鍵を用いて、暗号化に使用した第１の鍵と、上記２）で指定したアドレス情報とを暗号化し、リーダ／ライタ部１５のライタ１５２を使用して、非接触ＩＣカード２０に書き込む。
【０１２１】
（ステップＡ５）携帯型電子機器１０は、制御部により、ステップＡ４の書き込みを完了したら、記憶部内から、ステップＡ３で作成した第１の鍵と、ステップＡ２で保存したアドレス情報とを削除する。
【０１２２】
（ステップＡ６）携帯型電子機器１０は、制御部により、非接触ＩＣカード２０に書き込んだ第１の鍵を暗号化した第２の鍵を記憶部に保存する。
【０１２３】
（ステップＡ７）携帯型電子機器１０は、制御部により、ロック解除の設定完了後、リーダ／ライタ部１５のライタ１５２を使用して、非接触ＩＣ１６１内に使用不許可のステータスの書き込みを行う。これにより、非接触ＩＣ１６１のロックを行う。
【０１２４】
（ステップＡ８）非接触ＩＣ機能を使用をする際には、リーダ／ライタ部１５のリーダ１５１を使用し、非接触ＩＣカード２０のユニークな情報（非暗号化）と、アドレス情報（暗号化済み）と、暗号化鍵（暗号化済み）とを読み込む。
【０１２５】
（ステップＡ９）携帯型電子機器１０は、制御部により、読み込んだ暗号化済みの第１の鍵と暗号化済みのアドレス情報とを、記憶部内に保存されている第２の鍵を用いて復号（暗号解除）する。
【０１２６】
（ステップＡ１０）携帯型電子機器１０は、制御部により、ステップＡ９で復号された第１の鍵を使用して、制限解除の設定時に記憶部内に保存した、暗号化済みのユニークな情報と、暗号化済みのカード記憶情報とを復号する。
【０１２７】
（ステップＡ１１）携帯型電子機器１０は、リーダ／ライタ部１５のリーダ１５１により、ステップＡ９で復号されたアドレスの情報を使用して、非接触ＩＣカード２０からカード記憶情報を読み取る。
【０１２８】
（ステップＡ１２）携帯型電子機器１０は、制御部により、ステップＡ１０で復号されたユニークな情報と、ステップＡ８において読み込みを行った非接触ＩＣカード１５のユニークな情報（非暗号化）との比較、及びステップＡ１９で復号したアドレス情報から読み取ったカード記憶情報と、ステップＡ１１で読み取ったカード記憶情報との比較とを行う。
【０１２９】
（ステップＡ１３）携帯型電子機器１０は、制御部により、ステップＡ１２の比較により両方の情報が合致した場合、リーダ／ライタ部１５のライタ１５２を使用して、非接触ＩＣ１６１内に使用許可のステータスを書き込む。これにより、非接触ＩＣ１６１のロックを解除する。
【０１３０】
（ステップＡ１４）その後、携帯型電子機器１０の非接触ＩＣ機能を用いたサービスを受ける際に、ステップＡ１３で非接触ＩＣ１６１内の使用許可のステータスの書き込みが行われた携帯型電子機器１０を、非接触ＩＣサービス提供端末３０にかざす。
【０１３１】
（ステップＡ１５）これにより、非接触ＩＣサービス提供端末３０は、リーダ／ライタ部３１のリーダ３１１を使用して、携帯型電子機器１０に対し、非接触ＩＣ１６１内の使用ステータスを読み込み、使用許可のステータスを認識すれば、サービスの提供を行う。
【０１３２】
（ステップＡ１６）そして、サービスの提供を行った非接触ＩＣサービス提供端末３０は、リーダ／ライタ部３１のライタ３１２を使用し、携帯型電子機器１０に対し、非接触ＩＣ１６１内の使用ステータスを使用不許可に書き換える。これにより、携帯型電子機器１０に対し非接触ＩＣ１６１のロックを行う。
【０１３３】
上記のように本実施の形態では、リーダ／ライタ部１５を搭載している携帯型電子機器１０から非接触ＩＣカード２０の情報を読み取り、認証することで、携帯型電子機器１０の非接触ＩＣ１６１内に使用許可のステータスを与え、非接触ＩＣ１６１のロックを解除する。そして、非接触ＩＣサービス提供端末３０で、携帯型電子機器１０から、その非接触ＩＣ１６１内の使用許可のステータスを読み、非接触ＩＣ１６１のロックが解除されていれば、決済等のサービス提供に関する処理を行う。
【０１３４】
このようにして、本実施の形態では、携帯型電子機器１０における非接触ＩＣ１６１のロックの解除を非接触ＩＣカード２０から読み取った情報で行い、その解除を制御するためのステータスを携帯型電子機器１０の非接触ＩＣ内に持たせることにより、第１の実施の形態と同様に、携帯型電子機器の利便性を損なうことなく、高セキュリティを実現することができる。
【０１３５】
また、本実施の形態では、非接触ＩＣカード２０を使用して、リーダ／ライタを搭載した携帯型電子機器１０の非接触ＩＣの利用を制限することにより、第１の実施の形態と同様に、盗難・紛失時のリスクを抑えることができる。
【０１３６】
さらに、本実施の形態では、ロック解除用データとして、ランダムのアドレスから読み取った情報も併せて使用することにより、より一層不正解除しにくくなる。
【０１３７】
なお、本実施の形態は、第１の実施の形態に適用した場合を説明しているが、第２〜第４の実施の形態に適用することも可能である。
【０１３８】
（第６の実施の形態）
次に、本発明の第６の実施の形態について説明する。
【０１３９】
本実施の形態は、第５の実施の形態（図８）を適用し、非接触ＩＣ１６１の使用ステータスが使用許可になった後、一定時間、非接触ＩＣサービスを受けなかった場合、リーダ／ライタ部１５のライタ１５２を使用し、使用ステータスを使用不許可に書き換えを行うものである。
【０１４０】
本実施の形態は、第５の実施の形態と比べると、ステップＡ１〜Ａ１３の処理は同じであり、ステップＡ１４〜Ａ１６の処理に代えて、次の処理を行う。
【０１４１】
（ステップＡ１７）携帯型電子機器１０は、ステップＡ１３の処理後、一定時間、非接触ＩＣ機能を非接触ＩＣサービスに使用させなかった場合、リーダ／ライタ部１５のライタ１５２を使用し、非接触ＩＣ内の使用ステータスを使用不許可に書き換える。
【０１４２】
これにより、本実施の形態では、第５の実施の形態と同様の効果に加え、ロック解除後に紛失した場合でも、一定時間ごとにロックをかけなおすことができるため、紛失に気付かなくても自動でセキュリティを確保することができる。
【０１４３】
また、本実施の形態では、ロックの解除も素早く行えることから、使用直前のロック解除を想定しているため、ロックをかけなおすタイミングは非常に短くすることができ、より一層セキュアなものとすることができる。
【０１４４】
なお、上記の携帯型電子機器は、ハードウェア、ソフトウェア、又はこれらの組合せにより実現することができる。この場合のハードウェア、ソフトウェア構成は特に限定されるものではなく、上述した機能を実現可能なものであれば、いずれの形態でも適用可能である。
【０１４５】
上記の実施形態の一部又は全部は、以下の付記のようにも記載されうるが、以下には限定されない。
【０１４６】
（付記１）非接触ＩＣカードとの間で通信を行うリーダ／ライタ部と、非接触ＩＣを有し、その利用制限のためのロック及びその解除が可能な非接触ＩＣ機能部と、情報を記憶する記憶部と、前記非接触ＩＣのロックを行うときに、暗号化及び復号用の第１の鍵と、暗号化及び復号用の第２の鍵とを生成し、前記リーダ／ライタ部を介して前記非接触ＩＣカードから一意な情報を読み取り、読み取った一意な情報を前記第１の鍵を用いて暗号化し、暗号化された一意な情報を前記記憶部に記憶し、前記第１の鍵を前記第２の鍵を用いて暗号化し、暗号化された第１の鍵を前記リーダ／ライタ部を介して前記非接触ＩＣカードに書き込み、前記第２の鍵を前記記憶部に記憶し、前記非接触ＩＣのロックを解除するときに、前記リーダ／ライタ部を介して前記非接触ＩＣカードから一意な情報と暗号化された第１の鍵とを読み取り、読み取った暗号化された第１の鍵を前記記憶部に記憶された第２の鍵を用いて復号し、復号された第１の鍵を用いて前記記憶部に記憶された暗号化された一意な情報を復号し、復号された一意な情報と、読み取った一意な情報とを比較し、両情報が一致した場合に前記非接触ＩＣのロックを解除する制御部とを有することを特徴とする携帯型電子機器。
【０１４７】
（付記２）非接触ＩＣカードとの間で通信を行うリーダ／ライタ部と、非接触ＩＣを有し、その利用制限のためのロック及びその解除が可能な非接触ＩＣ機能部と、情報を記憶する記憶部と、前記非接触ＩＣのロックを行うときに、暗号化及び復号用の第１の鍵と、暗号化及び復号用の第２の鍵とを生成し、前記リーダ／ライタ部を介して前記非接触ＩＣカードから一意な情報を読み取り、読み取った一意な情報を前記第１の鍵で暗号化し、暗号化された一意な情報を前記記憶部に記憶し、前記第１の鍵を前記第２の鍵を用いて暗号化し、暗号化された第１の鍵を前記記憶部に記憶し、前記第２の鍵を前記リーダ／ライタ部を介して前記非接触ＩＣカードに記憶し、前記非接触ＩＣのロックを解除するときに、前記リーダ／ライタ部を介して前記非接触ＩＣカードから一意な情報と第２の鍵とを読み取り、読み取った第２の鍵を用いて前記記憶部に記憶された暗号化された第１の鍵を復号し、復号された第１の鍵を用いて前記記憶部に記憶された暗号化された一意な情報を復号し、復号された一意な情報と、読み取った一意な情報とを比較し、両情報が一致した場合に前記非接触ＩＣのロックを解除する制御部とを有することを特徴とする携帯型電子機器。
【０１４８】
（付記３）前記制御部は、前記非接触ＩＣのロックを解除する前に、暗号化及び復号用の新第１の鍵を生成し、前記非接触ＩＣカードから読み取った一意な情報を前記新第１の鍵を用いて暗号化し、暗号化された一意な情報を前記記憶部に記憶し、暗号化及び復号用の新第２の鍵を生成し、前記新第１の鍵を前記新第２の鍵を用いて暗号化し、暗号化された新第１の鍵を前記リーダ／ライタ部を介して前記非接触ＩＣカードに書き込み、前記新第２の鍵を前記記憶部に記憶することを特徴とする付記１に記載の携帯型電子機器。
【０１４９】
（付記４）前記制御部は、前記非接触ＩＣのロックを解除する前に、暗号化及び復号用の新第１の鍵を生成し、前記非接触ＩＣカードから読み取った一意な情報を前記新第１の鍵で暗号化し、暗号化された一意な情報を前記記憶部に記憶し、暗号化及び復号用の新第２の鍵を生成し、前記新第１の鍵を前記新第２の鍵を用いて暗号化し、暗号化された新第１の鍵を前記記憶部に記憶し、前記新第２の鍵を前記リーダ／ライタ部を介して前記非接触ＩＣカードに記憶することを特徴とする付記２に記載の携帯型電子機器。
【０１５０】
（付記５）前記制御部は、前記非接触ＩＣのロック解除後、前記非接触ＩＣを使用した後に前記非接触ＩＣのロックを行うことを特徴とする付記１から４のいずれか１に記載の携帯型電子機器。
【０１５１】
（付記６）前記制御部は、前記非接触ＩＣのロック解除後、一定時間経過後に前記非接触ＩＣのロックを行うことを特徴とする付記１から４のいずれか１に記載の携帯型電子機器。
【０１５２】
（付記７）前記一意な情報は、前記非接触ＩＣカードのＩＤ番号、製造番号、及び前記非接触ＩＣカードの読み取り可能領域内で任意に指定されたアドレスに記憶されている記憶情報の少なくとも１つを含むことを特徴とする付記１から６のいずれか１に記載の携帯型電子機器。
【０１５３】
（付記８）非接触ＩＣカードとの間で通信を行うリーダ／ライタ部と、非接触ＩＣを有し、その利用制限のためのロック及びその解除が可能な非接触ＩＣ機能部と、情報を記憶する記憶部と、制御部とを有する携帯型電子機器の非接触ＩＣ用ロック解除方法であって、前記制御部が、前記非接触ＩＣのロックを行うときに、暗号化及び復号用の第１の鍵と、暗号化及び復号用の第２の鍵とを生成し、前記リーダ／ライタ部を介して前記非接触ＩＣカードから一意な情報を読み取り、読み取った一意な情報を前記第１の鍵を用いて暗号化し、暗号化された一意な情報を前記記憶部に記憶し、前記第１の鍵を前記第２の鍵を用いて暗号化し、暗号化された第１の鍵を前記リーダ／ライタ部を介して前記非接触ＩＣカードに書き込み、前記第２の鍵を前記記憶部に記憶し、前記非接触ＩＣのロックを解除するときに、前記リーダ／ライタ部を介して前記非接触ＩＣカードから一意な情報と暗号化された第１の鍵とを読み取り、読み取った暗号化された第１の鍵を前記記憶部に記憶された第２の鍵を用いて復号し、復号された第１の鍵を用いて前記記憶部に記憶された暗号化された一意な情報を復号し、復号された一意な情報と、読み取った一意な情報とを比較し、両情報が一致した場合に前記非接触ＩＣのロックを解除することを特徴とする携帯型電子機器の非接触ＩＣ用ロック解除方法。
【０１５４】
（付記９）非接触ＩＣカードとの間で通信を行うリーダ／ライタ部と、非接触ＩＣを有し、その利用制限のためのロック及びその解除が可能な非接触ＩＣ機能部と、情報を記憶する記憶部と、制御部とを有する携帯型電子機器の非接触ＩＣ用ロック解除方法であって、前記制御部が、前記非接触ＩＣのロックを行うときに、暗号化及び復号用の第１の鍵と、暗号化及び復号用の第２の鍵とを生成し、前記リーダ／ライタ部を介して前記非接触ＩＣカードから一意な情報を読み取り、読み取った一意な情報を前記第１の鍵で暗号化し、暗号化された一意な情報を前記記憶部に記憶し、前記第１の鍵を前記第２の鍵を用いて暗号化し、暗号化された第１の鍵を前記記憶部に記憶し、前記第２の鍵を前記リーダ／ライタ部を介して前記非接触ＩＣカードに記憶し、前記非接触ＩＣのロックを解除するときに、前記リーダ／ライタ部を介して前記非接触ＩＣカードから一意な情報と第２の鍵とを読み取り、読み取った第２の鍵を用いて前記記憶部に記憶された暗号化された第１の鍵を復号し、復号された第１の鍵を用いて前記記憶部に記憶された暗号化された一意な情報を復号し、復号された一意な情報と、読み取った一意な情報とを比較し、両情報が一致した場合に前記非接触ＩＣのロックを解除することを特徴とする携帯型電子機器の非接触ＩＣ用ロック解除方法。
【０１５５】
（付記１０）前記制御部が、前記非接触ＩＣのロックを解除する前に、暗号化及び復号用の新第１の鍵を生成し、前記非接触ＩＣカードから読み取った一意な情報を前記新第１の鍵を用いて暗号化し、暗号化された一意な情報を前記記憶部に記憶し、暗号化及び復号用の新第２の鍵を生成し、前記新第１の鍵を前記新第２の鍵を用いて暗号化し、暗号化された新第１の鍵を前記リーダ／ライタ部を介して前記非接触ＩＣカードに書き込み、前記新第２の鍵を前記記憶部に記憶することを特徴とする付記８に記載の携帯型電子機器の非接触ＩＣ用ロック解除方法。
【０１５６】
（付記１１）前記制御部が、前記非接触ＩＣのロックを解除する前に、暗号化及び復号用の新第１の鍵を生成し、前記非接触ＩＣカードから読み取った一意な情報を前記新第１の鍵で暗号化し、暗号化された一意な情報を前記記憶部に記憶し、暗号化及び復号用の新第２の鍵を生成し、前記新第１の鍵を前記新第２の鍵を用いて暗号化し、暗号化された新第１の鍵を前記記憶部に記憶し、前記新第２の鍵を前記リーダ／ライタ部を介して前記非接触ＩＣカードに記憶することを特徴とする付記９に記載の携帯型電子機器の非接触ＩＣ用ロック解除方法。
【０１５７】
（付記１２）前記制御部が、前記非接触ＩＣのロック解除後、前記非接触ＩＣを使用した後に前記非接触ＩＣのロックを行うことを特徴とする付記８から１１のいずれか１に記載の携帯型電子機器の非接触ＩＣ用ロック解除方法。
【０１５８】
（付記１３）前記制御部が、前記非接触ＩＣのロック解除後、一定時間経過後に前記非接触ＩＣのロックを行うことを特徴とする付記８から１１のいずれか１に記載の携帯型電子機器の非接触ＩＣ用ロック解除方法。
【０１５９】
（付記１４）前記一意な情報は、前記非接触ＩＣカードのＩＤ番号、製造番号、及び前記非接触ＩＣカードの読み取り可能領域内で任意に指定されたアドレスに記憶されている記憶情報の少なくとも１つを含むことを特徴とする付記８から１３のいずれか１に記載の携帯型電子機器の非接触ＩＣ用ロック解除方法。
【０１６０】
（付記１５）付記１から７のいずれか１に記載の携帯型電子機器と、前記携帯型電子機器の非接触ＩＣとの間で通信を行う非接触ＩＣカードとを有することを特徴とする非接触ＩＣ用ロック解除システム。
【０１６１】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【産業上の利用可能性】
【０１６２】
以上説明したように、本発明は、非接触ＩＣ及び非接触ＩＣ用のリーダ／ライタを搭載した携帯電話機、携帯情報端末（ＰＤＡ）、スマートフォン等の携帯型電子機器及びその非接触ＩＣ用ロック解除方法の用途に適用可能である。また、本発明は、携帯型電子機器と、外部の非接触ＩＣカードとを含む非接触ＩＣ用ロック解除システムの用途に適用可能である。さらに、本発明は、電子マネーや個人認証など、非接触ＩＣを使用する装置、システムなどの用途に適用可能である。
【符号の説明】
【０１６３】
１０  携帯型電子機器（非接触ＩＣリーダ／ライタ搭載端末）
１１  制御部
１２  記憶部
１３  入力部
１４  表示部
１５  リーダ／ライタ部
１６  非接触ＩＣ機能部
１７  音声入出力部
２０  非接触ＩＣカード
３０  非接触ＩＣサービス提供端末
３１  リーダ／ライタ部
【図１】
0005249364.tif 000002
【図２】
0005249364.tif 000003
【図３】
0005249364.tif 000004
【図４】
0005249364.tif 000005
【図５】
0005249364.tif 000006
【図６】
0005249364.tif 000007
【図７】
0005249364.tif 000008
【図８】
0005249364.tif 000009